(57)【特許請求の範囲】
【請求項１】
カスケード接続された複数のハブと、これらハブを介して接続された時分割多次元接続方式に基づいて無線通信を行う複数の無線電話端末と、これら無線電話端末を電話網に交換接続する電話制御装置とを有し、前記電話制御装置が、当該無線通信に用いる各タイムスロットの基準時間位置を示す同期パルス信号を生成し、前記ハブを介して前記各無線電話端末に配信し、前記各無線電話端末が前記同期パルス信号に基づいてそれぞれに割り当てられているタイムスロットに関するスロット同期タイミングを特定して無線通信を行う電話システムであって、
前記ハブは、自己に接続されている各接続機器を確認し、得られた経路情報を前記電話制御装置へ通知する経路確認部と、自己に接続されている各接続機器との間の線路長をそれぞれ測定し、得られた線路長情報を前記電話制御装置へ通知する線路長測定部とを備え、
前記電話制御装置は、前記各ハブから通知された前記経路情報および前記線路長情報に基づいて、前記無線電話端末ごとに、当該無線電話端末における前記同期パルス信号の遅延時間を補正するための端末遅延補正値を計算し、得られた端末遅延補正値を当該無線電話端末に対して通知する同期制御部を備え、
前記無線電話端末は、前記同期パルス信号に基づいて前記スロット同期タイミングを特定するとともに、前記端末遅延補正値に基づいて当該スロット同期タイミングを補正するタイミング特定部を備える
ことを特徴とする電話システム。
【請求項２】
請求項１に記載の電話システムにおいて、
前記電話制御装置は、前記線路長とこの線路長による遅延を補正するための線路遅延補正値との対応関係を示す線路補正値算出テーブルと、前記ハブのハブ接続段数とこれらハブによる遅延を補正するためのハブ遅延補正値との対応関係を示すハブ遅延補正値算出テーブルとをさらに備え、
前記同期制御部は、前記端末遅延補正値を通知する際、前記線路長情報および前記経路情報に基づいて、前記無線電話端末ごとに、当該無線電話端末までの線路長およびハブ接続段数を計算し、前記線路補正値算出テーブルから求めた当該線路長に対応する線路遅延補正値と、前記ハブ遅延補正値算出テーブルから求めた当該ハブ接続段数に対応するハブ遅延補正値とを含む前記端末遅延補正値を通知する
ことを特徴とする電話システム。
【請求項３】
請求項２に記載の電話システムにおいて、
前記線路遅延補正値および前記ハブ遅延補正値は、遅延を補正するための補正時間を指数化した値からなり、
前記無線電話端末は、前記線路遅延補正値と実際の線路補正時間との対応関係を示す線路補正時間算出テーブルと、前記ハブ遅延補正値と実際のハブ補正時間との対応関係を示すハブ補正時間算出テーブルとをさらに備え、
前記タイミング特定部は、前記スロット同期タイミングを補正する際、前記線路補正時間算出テーブルから求めた前記端末遅延補正値に含まれる前記線路遅延補正値に対応する線路補正時間と、前記ハブ補正時間算出テーブルから求めた前記ハブ遅延補正値に対応するハブ補正時間とに基づいて、前記スロット同期タイミングを補正する
ことを特徴とする電話システム。
【請求項４】
カスケード接続された複数のハブと、これらハブを介して接続された時分割多次元接続方式に基づいて無線通信を行う複数の無線電話端末と、これら無線電話端末を電話網に交換接続する電話制御装置とを有し、前記電話制御装置が、当該無線通信に用いる各タイムスロットの基準時間位置を示す同期パルス信号を生成し、前記ハブを介して前記各無線電話端末に配信し、前記各無線電話端末が前記同期パルス信号に基づいてそれぞれに割り当てられているタイムスロットに関するスロット同期タイミングを特定して無線通信を行う電話システムで用いられる前記無線電話端末であって、
前記同期パルス信号に基づいて前記スロット同期タイミングを特定するとともに、前記電話制御装置により、前記各ハブから通知された当該ハブの接続機器に関する経路情報および線路長情報に基づいて、計算されて通知された、当該無線電話端末における前記同期パルス信号の遅延時間を補正するための端末遅延補正値に基づいて、当該スロット同期タイミングを補正するタイミング特定部を備える
ことを特徴とする無線電話端末。
【請求項５】
カスケード接続された複数のハブと、これらハブを介して接続された複数の内線電話端末と、これら内線電話端末を電話網に交換接続する電話制御装置とを有し、前記電話制御装置が、前記各内線電話端末でそれぞれ実行する特定の処理動作をこれら内線電話端末間で同期させるための同期パルス信号を生成し、前記ハブを介して前記各内線電話端末に配信し、前記各内線電話端末が、前記同期パルス信号に基づいて前記処理動作の動作タイミングを同期させる電話システムであって、
前記ハブは、自己に接続されている各接続機器を確認し、得られた経路情報を前記電話制御装置へ通知する経路確認部と、自己に接続されている各接続機器との間の線路長をそれぞれ測定し、得られた線路長情報を前記電話制御装置へ通知する線路長測定部とを備え、
前記電話制御装置は、前記各ハブから通知された前記経路情報および前記線路長情報に基づいて、前記内線電話端末ごとに、当該内線電話端末における前記同期パルス信号の遅延時間を補正するための端末遅延補正値を計算し、得られた端末遅延補正値を当該内線電話端末に対して通知する同期制御部を備え、
前記内線電話端末は、前記同期パルス信号に基づいて前記動作タイミングを特定するとともに、前記端末遅延補正値に基づいて当該動作タイミングを補正するタイミング特定部を備える
ことを特徴とする電話システム。
【請求項６】
カスケード接続された複数のハブと、これらハブを介して接続された複数の端末および管理装置とを有し、前記管理装置が、前記各端末でそれぞれ実行する特定の処理動作をこれら端末間で同期させるための同期パルス信号を生成し、前記ハブを介して前記各端末に配信し、前記各端末が、前記同期パルス信号に基づいて前記処理動作の動作タイミングを同期させる通信システムであって、
前記ハブは、自己に接続されている各接続機器を確認し、得られた経路情報を前記管理装置へ通知する経路確認部と、自己に接続されている各接続機器との間の線路長をそれぞれ測定し、得られた線路長情報を前記管理装置へ通知する線路長測定部を備え、
前記管理装置は、前記各ハブから通知された前記経路情報および前記線路長情報に基づいて、前記端末ごとに、当該端末における前記同期パルス信号の遅延時間を補正するための端末遅延補正値を計算し、得られた端末遅延補正値を当該端末に対して通知する同期制御部を備え、
前記端末は、前記同期パルス信号に基づいて前記動作タイミングを特定するとともに、前記端末遅延補正値に基づいて当該動作タイミングを補正するタイミング特定部を備える
ことを特徴とする通信システム。
【発明の詳細な説明】
【技術分野】
【０００１】
本発明は、無線通信技術に関し、特にカスケード接続された複数のハブを介して配信された同期パルス信号に基づいて、各端末で実行する処理動作を同期させる同期制御技術に関する。
【背景技術】
【０００２】
オフィス、事務所、店舗で用いられるビジネスホンなどの電話システムでは、電話網からの回線が接続された１つの電話制御装置（主装置）に、ＬＡＮなどの有線の内線伝送路を介して複数の内線電話端末が収容されており、電話制御装置によりこれら内線電話端末を回線に交換接続するものとなっている。
【０００３】
このような電話システムでは、内線電話端末として、一般的な有線電話端末のほか、内線伝送路に接続された無線親機（端末本体）に無線子機（ハンドセット）が無線接続される無線電話端末を収容することもある。これら無線電話端末は、互いの無線エリアが重複するような近い位置に複数設置される場合も想定されるため、他の無線電話端末と競合しないよう、各無線電話端末が１つのキャリア（無線伝送路）を時分割で使用する、時分割無線方式の無線システムが用いられている。
【０００４】
電話システムで用いられる一般的な無線システムとして、ＤＥＣＴ（Digital Enhanced Cordless Telecommunications）方式がある（例えば、特許文献１など参照）。このＤＥＣＴ方式は、ＴＤＭＡ（Time Division Multiple Access：時分割多元接続）−ＴＤＤ（Time Division Duplex：時分割複信）方式の自立分散型マルチチャネルアクセス無線方式である。
【０００５】
具体的には、１．９ＧＨｚ帯に５つのキャリアを配置し、キャリアごとに形成される１０ｍｓ長の１フレームを時分割し、標準で４１６．７μｓ長のタイムスロットが２４個設けられている。したがって、一般的には、１つの無線電話端末に対して、無線親機から無線子機へ無線送信する際に用いる下りタイムスロットと、無線子機から無線親機へ無線送信する際に用いる上りタイムスロットとからなるタイムスロットペアを、これらタイムスロットのうちから任意の選択し、当該無線電話端末が使用するチャネルとして割り当てることになる。
【先行技術文献】
【特許文献】
【０００６】
【特許文献１】特表２００１−５１０９７２号公報
【特許文献２】特開２００９−０７７３３８号公報
【発明の概要】
【発明が解決しようとする課題】
【０００７】
電話システムにおいて、このようなＤＥＣＴ方式に代表される時分割多元接続方式の無線システムを用いる場合、前述したように、自己に割り当てられたタイムスロットに合わせて各無線電話端末が無線親機と無線子機との間で無線通信する必要がある。このため、電話システムでは、電話制御装置から内線伝送路を介して各無線電話端末の無線親機に、タイムスロット同期用の同期パルス信号を配信し、無線親機がこの同期パルス信号を基準時間位置として、自己のタイムスロットの開始タイミングを特定するものとなっている。
【０００８】
一方、電話システムでは、内線電話端末としてＩＰ電話端末を用いる場合、ＬＡＮを用いた内線伝送路で電話制御装置と各内線電話端末とを接続するとともに、各内線電話端末への給電は、ＰｏＥ方式（IEEE 802.3af）に基づき内線伝送路の途中に設けられたパブ（ハブ）から給電するものとなっている。また、電話システムでは、ＬＡＮケーブル内の給電線を利用して、この給電線に電話制御装置からパルス状の同期パルス信号をフレーム先頭タイミングに合わせて繰り返し重畳することにより、各無線電話端末へ同期パルス信号を配信している。
【０００９】
従来、このような電話システムでは、内線電話端末数の増加や内線伝送路の延長に応じて、ハブをカスケード接続して対応するものとなっていた（例えば、特許文献２など参照）。このような接続形態によれば、ＬＡＮケーブル内の給電線はハブで終端される。このため、ハブでは、電話制御装置側の給電線から配信された同期パルス信号を検出し、端末側の給電線へ再生出力することになる。
【００１０】
しかしながら、このような従来技術では、ＬＡＮケーブル内の給電線に同期パルス信号を重畳して配信する方式であるため、内線伝送路の延長に応じて、同期パルス信号の伝搬時間が増大し、無線電話端末におけるタイムスロット同期タイミングの遅れの原因となる。また、ハブで同期パルス信号を再生出力しているため、必然的に同期パルス信号の再生動作によっても遅れが生じる。したがって、ハブのカスケード接続段数が増加すると、同期パルス信号の再生所要時間が増大し、無線電話端末におけるタイムスロット同期タイミングの遅れの原因となる。
【００１１】
このような同期パルス信号の遅延により、無線電話端末におけるタイムスロット同期タイミングが遅れた場合、自己に割り当てられた本来のタイムスロットより遅れてデータ送信を開始することになる。このため、次のタイムスロットまでデータ送信が食い込んで、これらタイムスロット間における干渉が発生して、他の無線電話端末における無線通信に支障を来すことになる。
【００１２】
この際、タイムスロット同期タイミングの遅れは、無線システムのタイムスロットに設定されているスロットずれ許容範囲であれば問題ない。したがって、従来は、このスロットずれ許容範囲を満たすよう同期パルス信号の遅延を抑制するため、無線電話端末を接続する位置について、電話制御装置との間にカスケード接続可能なハブの台数や内線伝送路の線路長を制限する必要があった。このため、無線電話端末を設置する際、内線伝送路を自由に構成できないという問題点があった。
【００１３】
また、以上では、電話システムに無線システムを適用した場合を例として、タイムスロット同期タイミングの遅れによる問題点について説明したが、これに限定されるものではない。例えば、電話システムでは、着信表示時における着信ＬＥＤの点滅開始／停止動作や着信音出力開始／停止動作など、各内線電話端末での処理動作を同期させる場合に、前述と同様の同期パルス信号を用いることも考えられる。これら動作タイミングにずれが生じると、利用者に違和感や不快感を与える場合があるからである。
【００１４】
この際、システム変更のため内線伝送路を延長したりハブのカスケード接続段数を増加させたりした場合、内線伝送路上の接続位置に応じて、それぞれの内線電話端末で同期パルス信号の到達時刻にばらつきが生じる。このため、これら内線電話端末間において、動作タイミングにずれが生じることになる。特に、可視表示や可聴表示のずれに対して人は敏感であり、僅かなずれであっても利用者が違和感や不快感として感じ、結果として品質評価の低下につながることもある。
【００１５】
また、このような問題点は、電話システムに限定されるものではない。カスケード接続された複数のハブを介して複数の端末が管理装置に接続されているような通信システムにおいて、管理装置からハブを介して同期パルス信号を各端末に配信し、各端末がこの同期パルス信号に基づいてそれぞれの動作の動作タイミングを同期させる場合にも、前述と同様の問題点が生ずることになる。
【００１６】
本発明はこのような課題を解決するためのものであり、カスケード接続されるハブの台数や伝送路の線路長により同期パルス信号の到達にばらつきが発生しても、各端末で動作タイミングを適切に特定できる同期制御技術を提供することを目的としている。
【課題を解決するための手段】
【００１７】
このような目的を達成するために、本発明にかかる電話システムは、カスケード接続された複数のハブと、これらハブを介して接続された時分割多次元接続方式に基づいて無線通信を行う複数の無線電話端末と、これら無線電話端末を電話網に交換接続する電話制御装置とを有し、前記電話制御装置が、当該無線通信に用いる各タイムスロットの基準時間位置を示す同期パルス信号を生成し、前記ハブを介して前記各無線電話端末に配信し、前記各無線電話端末が前記同期パルス信号に基づいてそれぞれに割り当てられているタイムスロットに関するスロット同期タイミングを特定して無線通信を行う電話システムであって、前記ハブは、自己に接続されている各接続機器を確認し、得られた経路情報を前記電話制御装置へ通知する経路確認部と、自己に接続されている各接続機器との間の線路長をそれぞれ測定し、得られた線路長情報を前記電話制御装置へ通知する線路長測定部とを備え、前記電話制御装置は、前記各ハブから通知された前記経路情報および前記線路長情報に基づいて、前記無線電話端末ごとに、当該無線電話端末における前記同期パルス信号の遅延時間を補正するための端末遅延補正値を計算し、得られた端末遅延補正値を当該無線電話端末に対して通知する同期制御部を備え、前記無線電話端末は、前記同期パルス信号に基づいて前記スロット同期タイミングを特定するとともに、前記端末遅延補正値に基づいて当該スロット同期タイミングを補正するタイミング特定部を備えている。
【００１８】
また、本発明にかかる上記電話システムの一構成例は、前記電話制御装置が、前記線路長とこの線路長による遅延を補正するための線路遅延補正値との対応関係を示す線路補正値算出テーブルと、前記ハブのハブ接続段数とこれらハブによる遅延を補正するためのハブ遅延補正値との対応関係を示すハブ遅延補正値算出テーブルとをさらに備え、前記同期制御部は、前記端末遅延補正値を通知する際、前記線路長情報および前記経路情報に基づいて、前記無線電話端末ごとに、当該無線電話端末までの線路長およびハブ接続段数を計算し、前記線路補正値算出テーブルから求めた当該線路長に対応する線路遅延補正値と、前記ハブ遅延補正値算出テーブルから求めた当該ハブ接続段数に対応するハブ遅延補正値とを含む前記端末遅延補正値を通知するようにしたものである。
【００１９】
また、本発明にかかる上記電話システムの一構成例は、前記線路遅延補正値および前記ハブ遅延補正値は、遅延を補正するための補正時間を指数化した値からなり、前記無線電話端末は、前記線路遅延補正値と実際の線路補正時間との対応関係を示す線路補正時間算出テーブルと、前記ハブ遅延補正値と実際のハブ補正時間との対応関係を示すハブ補正時間算出テーブルとをさらに備え、前記タイミング特定部は、前記スロット同期タイミングを補正する際、前記線路補正時間算出テーブルから求めた前記端末遅延補正値に含まれる前記線路遅延補正値に対応する線路補正時間と、前記ハブ補正時間算出テーブルから求めた前記ハブ遅延補正値に対応するハブ補正時間とに基づいて、前記スロット同期タイミングを補正するようにしたものである。
【００２０】
また、本発明にかかる無線電話端末は、カスケード接続された複数のハブと、これらハブを介して接続された時分割多次元接続方式に基づいて無線通信を行う複数の無線電話端末と、これら無線電話端末を電話網に交換接続する電話制御装置とを有し、前記電話制御装置が、当該無線通信に用いる各タイムスロットの基準時間位置を示す同期パルス信号を生成し、前記ハブを介して前記各無線電話端末に配信し、前記各無線電話端末が前記同期パルス信号に基づいてそれぞれに割り当てられているタイムスロットに関するスロット同期タイミングを特定して無線通信を行う電話システムで用いられる前記無線電話端末であって、前記同期パルス信号に基づいて前記スロット同期タイミングを特定するとともに、前記電話制御装置により、前記各ハブから通知された当該ハブの接続機器に関する経路情報および線路長情報に基づいて、計算されて通知された、当該無線電話端末における前記同期パルス信号の遅延時間を補正するための端末遅延補正値に基づいて、当該スロット同期タイミングを補正するタイミング特定部を備えている。
【００２１】
また、本発明にかかる他の電話システムは、カスケード接続された複数のハブと、これらハブを介して接続された複数の内線電話端末と、これら内線電話端末を電話網に交換接続する電話制御装置とを有し、前記電話制御装置が、前記各内線電話端末でそれぞれ実行する特定の処理動作をこれら内線電話端末間で同期させるための同期パルス信号を生成し、前記ハブを介して前記各内線電話端末に配信し、前記各内線電話端末が、前記同期パルス信号に基づいて前記処理動作の動作タイミングを同期させる電話システムであって、前記ハブは、自己に接続されている各接続機器を確認し、得られた経路情報を前記電話制御装置へ通知する経路確認部と、自己に接続されている各接続機器との間の線路長をそれぞれ測定し、得られた線路長情報を前記電話制御装置へ通知する線路長測定部とを備え、前記電話制御装置は、前記各ハブから通知された前記経路情報および前記線路長情報に基づいて、前記内線電話端末ごとに、当該内線電話端末における前記同期パルス信号の遅延時間を補正するための端末遅延補正値を計算し、得られた端末遅延補正値を当該内線電話端末に対して通知する同期制御部を備え、前記内線電話端末は、前記同期パルス信号に基づいて前記動作タイミングを特定するとともに、前記端末遅延補正値に基づいて当該動作タイミングを補正するタイミング特定部を備えている。
【００２２】
また、本発明にかかる通信システムは、カスケード接続された複数のハブと、これらハブを介して接続された複数の端末および管理装置とを有し、前記管理装置が、前記各端末でそれぞれ実行する特定の処理動作をこれら端末間で同期させるための同期パルス信号を生成し、前記ハブを介して前記各端末に配信し、前記各端末が、前記同期パルス信号に基づいて前記処理動作の動作タイミングを同期させる通信システムであって、前記ハブは、自己に接続されている各接続機器を確認し、得られた経路情報を前記管理装置へ通知する経路確認部と、自己に接続されている各接続機器との間の線路長をそれぞれ測定し、得られた線路長情報を前記管理装置へ通知する線路長測定部を備え、前記管理装置は、前記各ハブから通知された前記経路情報および前記線路長情報に基づいて、前記端末ごとに、当該端末における前記同期パルス信号の遅延時間を補正するための端末遅延補正値を計算し、得られた端末遅延補正値を当該端末に対して通知する同期制御部を備え、前記端末は、前記同期パルス信号に基づいて前記動作タイミングを特定するとともに、前記端末遅延補正値に基づいて当該動作タイミングを補正するタイミング特定部を備えている。
【発明の効果】
【００２３】
本発明によれば、カスケード接続されるハブの台数や伝送路の線路長により同期パルス信号の到達にばらつきが発生しても、各端末で動作タイミングを適切に特定することができる。
【図面の簡単な説明】
【００２４】
【図１】第１の実施の形態にかかる電話システムの構成を示すブロック図である。
【図２】経路情報の構成例である。
【図３】線路長情報の構成例である。
【図４】第１の実施の形態にかかるハブの構成を示すブロック図である。
【図５】第１の実施の形態にかかる無線電話端末の構成を示すブロック図である。
【図６】第１の実施の形態にかかる同期制御動作を示すシーケンス図である。
【図７】端末遅延補正値の計算に用いる補正値算出テーブルの構成例である。
【図８】補正時間の計算に用いる補正時間算出テーブルの構成例である。
【図９】端末遅延補正値の計算処理例を示す説明図である。
【図１０】第１の実施の形態にかかるスロット同期タイミングの補正動作例を示すタイミングチャートである。
【図１１】第２の実施の形態にかかる内線電話端末の構成を示すブロック図である。
【図１２】第２の実施の形態にかかる動作タイミングの補正動作例を示すタイミングチャートである。
【発明を実施するための形態】
【００２５】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
【００２６】
図１に示す電話システム１は、オフィス、事務所、店舗で用いられるビジネスホン、ボタン電話装置、ＰＢＸシステムなどの電話システムからなり、カスケード接続された複数のハブ（ＨＵＢ）３０と、これらハブ３０からなる内線伝送路を介して接続された複数の内線電話端末２０と、これら内線電話端末２０を電話網ＮＷに交換接続する電話制御装置１０とから構成されている。
【００２７】
内線電話端末２０には、端末本体にハンドセットがカールコードを用いて有線接続されている一般的な有線電話端末２１のほか、端末本体（無線親機）にハンドセット（無線子機）が無線接続される無線電話端末２２が含まれている。これら無線電話端末２２は、時分割多次元接続方式の１つであるＤＥＣＴ方式に基づいて無線通信を行う機能を有しており、詳細については後述する。本実施の形態では、各無線電話端末２２で用いる無線システムがＤＥＣＴ方式である場合について説明するが、ＤＥＣＴ方式に限定されるものではなく、他の一般的な時分割多元接続方式の無線システムであってもよい。
【００２８】
この電話システム１は、電話制御装置１０が、各無線電話端末２２での無線通信に用いる各タイムスロットの基準時間位置を示す同期パルス信号を生成し、ハブ３０を介して各無線電話端末２２に配信し、各無線電話端末２２がこの同期パルス信号に基づいてそれぞれに割り当てられているタイムスロットに関するスロット同期タイミングを特定して無線通信を行う機能を有している。
【００２９】
本実施の形態は、ハブ３０が、自己に接続されている各接続機器を確認し、得られた経路情報を電話制御装置１０へ通知するとともに、自己に接続されている各接続機器との間の線路長をそれぞれ測定し、得られた線路長情報を電話制御装置１０へ通知し、電話制御装置１０が、各ハブ３０から通知された経路情報および線路長情報に基づいて、無線電話端末２２ごとに、当該無線電話端末２２における同期パルス信号の遅延時間を補正するための端末遅延補正値を計算し、得られた端末遅延補正値を当該無線電話端末２２に対して通知し、無線電話端末２２が、電話制御装置１０から配信された同期パルス信号に基づいてスロット同期タイミングを特定するとともに、電話制御装置１０から通知された端末遅延補正値に基づいて当該スロット同期タイミングを補正するようにしたものである。
【００３０】
［電話制御装置］
次に、本実施の形態にかかる電話制御装置１０の構成について詳細に説明する。
図１に示すように、電話制御装置１０には、主な機能部として、網Ｉ／Ｆ部１１、ポートＩ／Ｆ部１２、スイッチ部１３、同期パルス信号生成部１４、記憶部１５、および制御部１６が設けられている。
【００３１】
網Ｉ／Ｆ部１１は、一般的な回線Ｉ／Ｆ回路からなり、電話網ＮＷからの通信回線Ｌ１と接続し、この通信回線Ｌ１を介して電話網ＮＷとの間で各種呼制御メッセージをやり取りする機能と、電話網ＮＷとの間で形成した通話回線を介して音声をやり取りする機能とを有している。電話網ＮＷは、ＰＳＴＮ、ＩＰ電話網、ＩＳＤＮなどの電話網からなり、それぞれの網インターフェースに合わせて網Ｉ／Ｆ部１１を構成すればよい。
【００３２】
ポートＩ／Ｆ部１２は、一般的なＬＡＮ接続用のポート回路からなり、ＬＡＮケーブルＬ２を介してハブ３０配下の内線電話端末２０との間でパケットを送受信することにより、各種制御メッセージをやり取りする機能と、上記パケットの送受信によりこれら内線電話端末２０との間で形成した音声パスを介して音声データをやり取りする機能と、同期パルス信号生成部１４で生成された同期パルス信号を、ＬＡＮケーブルの給電線に重畳することにより、各内線電話端末２０に対して配信する機能とを有している。
【００３３】
スイッチ部１３は、網Ｉ／Ｆ部１１を介して電話網ＮＷとの間で形成した通話回線と、ポートＩ／Ｆ部１２を介して内線電話端末２０との間で形成した音声パスとを相互に交換接続する機能を有している。
【００３４】
同期パルス信号生成部１４は、各端末でそれぞれ実行する動作をこれら端末間で同期させるための同期パルス信号を生成する機能を有している。同期パルス信号としては、１つの矩形パルス信号から構成してもよく、複数のパルス列から構成してもよい。本実施の形態では、この同期パルス信号が、各無線電話端末２２での無線通信に用いる各タイムスロットの基準時間位置を示す同期パルス信号からなる場合を例として説明する。
【００３５】
記憶部１５は、半導体メモリやハードディスクなどの記憶装置からなり、制御部１６で用いる各種処理情報や、制御部１６のＣＰＵで実行するプログラムを記憶する機能を有している。
記憶部１５が記憶する主な処理情報として、経路情報１５Ａと線路長情報１５Ｂとがある。
【００３６】
経路情報１５Ａは、電話制御装置１０の配下に接続されている接続機器に関する接続経路を示すデータである。
図２は、経路情報の構成例である。ここでは、ハブＩＤごとに、当該ハブの配下（ダウンリンクポート）に接続されている接続機器ＩＤ、例えば内線電話端末２０やハブ３０のＭＡＣアドレスがリストとして登録されている。
【００３７】
線路長情報１５Ｂは、各ハブ３０に接続されている接続機器との間の線路長を示すデータである。
図３は、線路長情報の構成例である。ここでは、ハブ３０と接続機器、すなわち電話制御装置１０、内線電話端末２０、およびハブ３０との組み合わせごとに、両者間を接続するＬＡＮケーブルの線路長が登録されている。
【００３８】
制御部１６は、ＣＰＵおよびその周辺回路を有し、記憶部１５から読み込んだプログラムをＣＰＵで実行することにより実現される各種処理部により、電話システム１全体を制御する機能を有している。
制御部１６で実現される主な処理部としては、呼制御部１６Ａと同期制御部１６Ｂとがある。
【００３９】
呼制御部１６Ａは、網Ｉ／Ｆ部１１を介して電話網ＮＷとの間で各種呼制御メッセージをやり取りすることにより、電話網ＮＷを用いた発信／着信や通話回線の接続／切断などの回線制御を行う機能と、ポートＩ／Ｆ部１２を介して内線電話端末２０との間で各種制御メッセージをやり取りすることにより、内線電話端末２０の動作制御や音声バスの接続／切断などの通話制御を行う機能と、スイッチ部１３による電話網ＮＷからの通話回線と内線電話端末２０からの音声パスとを交換接続を制御する機能とを有している。
【００４０】
同期制御部１６Ｂは、電話制御装置１０に接続されたパーソナルコンピュータや特定の内線電話端末２０から入力された、管理者からの同期設定指示に応じて、ポートＩ／Ｆ部１２から各ハブ３０に情報要求指示を示す制御メッセージを通知する機能と、これらハブ３０から取得した経路情報および線路長情報を、それぞれ経路情報１５Ａおよび線路長情報１５Ｂとして記憶部１５に格納する機能と、これら経路情報１５Ａおよび線路長情報１５Ｂに基づいて、内線電話端末２０ごとに、当該内線電話端末２０における同期パルス信号の遅延時間を補正するための端末遅延補正値を計算する機能と、得られた端末遅延補正値を制御メッセージによりポートＩ／Ｆ部１２を介して当該内線電話端末２０に通知する機能を有している。
【００４１】
［ハブ］
次に、図４を参照して、本実施の形態にかかるハブ３０の構成について詳細に説明する。図４は、第１の実施の形態にかかるハブの構成を示すブロック図である。
このハブ３０は、電話制御装置１０や内線電話端末２０とＬＡＮケーブルを介して接続し、さらにはＬＡＮケーブルを介してハブ３０間でカスケード接続することにより、最上位に位置する電話制御装置１０と最下位に位置する内線電話端末２０との間でやり取りするパケットを相互に転送するための内線伝送路を形成する機能とを有している。
【００４２】
ハブ３０には、主な機能部として、アップリンクポートＩ／Ｆ部３１、ダウンリンクポートＩ／Ｆ部３２、同期パルス信号再生部３３、転送処理部３４、経路確認部３５、および線路長測定部３６が構成されている。
【００４３】
アップリンクポートＩ／Ｆ部３１は、一般的なＬＡＮ接続用のポート回路からなり、ＬＡＮケーブルＬ２を介して接続された上位の電話制御装置１０やハブ３０とパケットをやり取りする機能と、これら上位側接続機器からＬＡＮケーブル内の給電線を介して配信された同期パルス信号を受信し、同期パルス信号再生部３３へ出力する機能とを有している。
【００４４】
ダウンリンクポートＩ／Ｆ部３２は、一般的なＬＡＮ接続用の複数のポート回路からなり、ＬＡＮケーブルＬ３を介して接続された配下の内線電話端末２０やハブ３０とパケットをやり取りする機能と、これら接続機器に対して、同期パルス信号再生部３３から出力された同期パルス信号をＬＡＮケーブル内の給電線を介して配信する機能とを有している。
【００４５】
同期パルス信号再生部３３は、アップリンクポートＩ／Ｆ部３１から出力された同期パルス信号を再生（リタイミング）して、ダウンリンクポートＩ／Ｆ部３２へ出力する機能を有している。
転送処理部３４は、パケットのアドレスに基づいて、アップリンクポートＩ／Ｆ部３１とダウンリンクポートＩ／Ｆ部３２との間でパケットを転送する機能を有している。
【００４６】
経路確認部３５は、アップリンクポートＩ／Ｆ部３１を介して電話制御装置１０から受信した情報要求指示を示す制御メッセージに応じて、ＬＡＮケーブルを介してアップリンクポートＩ／Ｆ部３１やダウンリンクポートＩ／Ｆ部３２に接続されている接続機器を確認する機能と、接続確認した接続機器のＭＡＣアドレスリストからなる経路情報を制御メッセージによりポートＩ／Ｆ部２３Ａを介して電話制御装置１０に通知する機能とを有している。接続経路取得手法については、例えば特許文献２に記載されているような、一般的なハブでテーブル管理している接続機器のＭＡＣアドレスを接続経路として取得するなど、公知の手法を用いればよい。
【００４７】
線路長測定部３６は、アップリンクポートＩ／Ｆ部３１を介して電話制御装置１０から受信した情報要求指示を示す制御メッセージに応じて、ＬＡＮケーブルを介してアップリンクポートＩ／Ｆ部３１やダウンリンクポートＩ／Ｆ部３２に接続されている接続機器との間の線路長を測定する機能と、得られた線路長情報を制御メッセージによりアップリンクポートＩ／Ｆ部３１を介して電話制御装置１０に通知する機能とを有している。線路長測定手法については、例えば接続機器に対して送信した測定用パルスの反射波から測定した、往復所要時間や振幅減衰量に基づいて、下位側接続機器を接続しているＬＡＮケーブルの線路長を測定するＴＤＲ（Time Domain Reflectometry：時間領域反射測定）など、公知の手法を用いればよい。
【００４８】
［無線電話端末］
次に、図５を参照して、無線電話端末２２の構成について詳細に説明する。図５は、第１の実施の形態にかかる無線電話端末の構成を示すブロック図である。
この無線電話端末２２は、内線伝送路に接続された無線親機（端末本体）２３と、この無線親機２３との間でＤＥＣＴ方式に基づき無線通信を行う無線子機（ハンドセット）２４とから構成されている。
無線親機２３には、主な機能部として、ポートＩ／Ｆ部２３Ａ、無線Ｉ／Ｆ部２３Ｂ、タイミング特定部２３Ｃ、および親機処理部２３Ｄが設けられている。
【００４９】
ポートＩ／Ｆ部２３Ａは、全体としてＬＡＮＩ／Ｆポート回路からなり、ＬＡＮケーブルＬ３を介して接続されたハブ３０とパケットを送受信することにより、各種制御メッセージをやり取りする機能と、上記パケットの送受信により電話制御装置１０との間で形成した音声パスを介して音声データをやり取りする機能と、ハブ３０からＬＡＮケーブルＬ３内の給電線を介して配信された同期パルス信号を受信し、タイミング特定部２３Ｃへ出力する機能とを有している。
【００５０】
無線Ｉ／Ｆ部２３Ｂは、タイミング特定部２３Ｃから出力されたスロット同期タイミングに基づいて、予め割り当てられているタイムロットを用いて対をなす無線子機２４との間で無線通信を行うことにより、各種制御メッセージや音声データをやり取りする機能を有している。
【００５１】
タイミング特定部２３Ｃは、ポートＩ／Ｆ部２３Ａから出力された同期パルス信号に基づいて、予め当該無線電話端末２２に割り当てられているタイムロットに関するスロット同期タイミングを特定して、無線Ｉ／Ｆ部２３Ｂに出力する機能と、親機処理部２３Ｄから出力された端末遅延補正値に基づいて、スロット同期タイミングを補正する機能とを有している。
【００５２】
親機処理部２３Ｄは、ポートＩ／Ｆ部２３Ａを介して電話制御装置１０と制御メッセージをやり取りすることにより、当該無線電話端末２２における各種可視・可聴表示制御や電話制御装置１０との音声パスの接続／切断制御を行う機能と、無線Ｉ／Ｆ部２３Ｂを介して無線子機２４と制御メッセージをやり取りすることにより、無線子機２４における各種表示制御や無線子機２４との音声パスの接続／切断制御を行う機能と、電話制御装置１０との間で形成した音声パスと無線子機２４との間で形成した音声パスとを交換接続する機能と、電話制御装置１０から制御メッセージにより通知された端末遅延補正値をタイミング特定部２３Ｃに出力する機能とを有している。
【００５３】
［第１の実施の形態の動作］
次に、図６を参照して、本実施の形態にかかる電話システム１の動作について説明する。図６は、第１の実施の形態にかかる同期制御動作を示すシーケンス図である。
電話制御装置１０に接続されたパーソナルコンピュータや特定の内線電話端末２０から入力された、管理者からの同期設定指示に応じて、図６に示す同期制御動作を実行する。
【００５４】
まず、電話制御装置１０の同期制御部１６Ｂは、ポートＩ／Ｆ部１２から各ハブ３０に情報要求指示を示す制御メッセージを通知する（ステップ１００）。
【００５５】
各ハブ３０の経路確認部３５は、電話制御装置１０から通知された情報要求指示に応じて、ＬＡＮケーブルを介して自己に接続されている接続機器を確認し（ステップ１０１）、得られた経路情報を電話制御装置１０に通知する（ステップ１０２）。
また、各ハブ３０の線路長測定部３６は、電話制御装置１０からの情報要求指示に応じて、ＬＡＮケーブルを介して自己に接続されている配下の接続機器との間の線路長を計測し（ステップ１０３）、得られた線路長情報を電話制御装置１０に通知する（ステップ１０４）。
【００５６】
電話制御装置１０の同期制御部１６Ｂは、情報要求指示に応じて各ハブ３０から通知された経路情報および線路長情報を、経路情報１５Ａおよび線路長情報１５Ｂとして記憶部１５に格納し（ステップ１０５）、これら経路情報１５Ａおよび線路長情報１５Ｂに基づいて、内線電話端末２０ごと、ここではスロット同期タイミングが同期対象であることから無線電話端末２２ごとに、当該無線電話端末２２における同期パルス信号の遅延時間を補正するための端末遅延補正値を計算し（ステップ１０６）、得られた端末遅延補正値を制御メッセージによりポートＩ／Ｆ部１２を介して当該無線電話端末２２に通知する（ステップ１０７）。
【００５７】
各無線電話端末２２のタイミング特定部２３Ｃは、電話制御装置１０から通知された端末遅延補正値に基づいて、ポートＩ／Ｆ部２３Ａから出力された同期パルス信号から特定されるスロット同期タイミングを補正する（ステップ１０８）。これ以降、無線電話端末２２の無線親機２３と無線子機２４との間では、補正後のスロット同期タイミングに基づき無線通信が行われる。
【００５８】
［端末遅延補正値計算例］
次に、図７を参照して、電話制御装置１０における端末遅延補正値の計算例について説明する。図７は、端末遅延補正値の計算に用いる補正値算出テーブルの構成例であり、図７（ａ）は線路遅延補正値算出テーブルを示し、図７（ｂ）はハブ遅延補正値算出テーブルを示している。
【００５９】
電話制御装置１０から任意の内線電話端末２０に配信した同期パルス信号に関する遅延は、電話制御装置１０から当該内線電話端末２０までの接続経路を構成する線路長Ｌと、当該接続経路を構成するハブ３０のハブ接続段数Ｈに影響され、これら線路長とハブ接続段数とは、互いに独立して同期パルス信号に遅延を与える。本発明は、このような同期パルス信号の遅延特性に着目し、線路長Ｌに起因する遅延を補正するための線路遅延補正値ＲＬと、ハブ接続段数Ｈに起因する遅延を補正するためのハブ遅延補正値ＲＨとを個別に計算するようにしたものである。
【００６０】
したがって、まず、電話制御装置１０の同期制御部１６Ｂは、記憶部１５の経路情報１５Ａに基づいて、無線電話端末２２ごとに、電話制御装置１０から当該無線電話端末２２までの接続経路を特定する。この際、ハブと接続機器との対応関係を示す経路情報１５Ａから、無線電話端末２２ごとに、当該無線電話端末２２のＭＡＣアドレスを追跡することにより、電話制御装置１０から当該無線電話端末２２までの接続経路を特定すればよい。
【００６１】
次に、同期制御部１６Ｂは、記憶部１５の線路長情報１５Ｂに基づいて、電話制御装置１０から当該無線電話端末２２までの線路長Ｌを計算し、図７（ａ）の線路遅延補正値算出テーブルに基づき線路長Ｌに対応する線路遅延補正値ＲＬを計算する。この際、ハブおよび接続機器と線路長との対応関係を示す線路長情報１５Ｂから、接続経路上に位置するハブ３０間の線路長と、最下位のハブ３０と当該無線電話端末２２の間の線路長とを合算することにより、線路長Ｌを計算すればよい。
【００６２】
また、同期制御部１６Ｂは、当該接続経路を構成する各ハブ３０のハブ接続段数Ｈを計算し、図７（ｂ）のハブ遅延補正値算出テーブルに基づきハブ接続段数Ｈに対応するハブ遅延補正値ＲＨを計算する。この際、接続経路上に位置するハブ３０を抽出し、これらハブ３０の台数からハブ接続段数Ｈを計算すればよい。
【００６３】
なお、線路長Ｌとハブ接続段数Ｈについては、端末遅延補正値の計算時に求めてもよいが、各ハブ３０から経路情報および線路長情報を取得した時点で、線路長Ｌとハブ接続段数Ｈを予め求めて記憶部１５に格納しておき、端末遅延補正値の計算時に、これら線路長Ｌとハブ接続段数Ｈを記憶部１５から読み出して用いるようにしてもよい。
【００６４】
この後、同期制御部１６Ｂは、このようにして得られた線路遅延補正値ＲＬおよびハブ遅延補正値ＲＨからなる端末遅延補正値を、制御メッセージにより各無線電話端末２２へ通知する。
【００６５】
線路遅延補正値算出テーブルには、線路長Ｌの範囲区間ごとに、当該範囲区間の線路長の際に補正すべき値を示す線路遅延補正値ＲＬが登録されている。この線路遅延補正値算出テーブルは、ＬＡＮケーブルの電気的特性や実測から得られた両者の対応関係をテーブル化し、記憶部１５に格納しておけばよい。
ハブ遅延補正値算出テーブルには、ハブ接続段数Ｈの範囲区間ごとに、当該範囲区間のハブ接続段数Ｈの際に補正すべき値を示すハブ遅延補正値ＲＨが登録されている。このハブ遅延補正値算出テーブルは、ハブ３０の動作特性から予め計算した両者の対応関係をテーブル化し、記憶部１５に格納しておけばよい。
【００６６】
各無線電話端末２２のタイミング特定部２３Ｃは、電話制御装置１０から通知された端末遅延補正値に含まれる線路遅延補正値ＲＬおよびハブ遅延補正値ＲＨに基づいて、同期パルス信号から特定されるスロット同期タイミングを補正する。この際、線路遅延補正値ＲＬおよびハブ遅延補正値ＲＨは、実際の補正時間を指数化したものである。したがって、無線電話端末２２において、スロット同期タイミングを補正する際には、これら線路遅延補正値ＲＬおよびハブ遅延補正値ＲＨから補正時間を計算する必要がある。
【００６７】
図８は、補正時間の計算に用いる補正時間算出テーブルの構成例であり、図８（ａ）は線路補正時間算出テーブルを示し、図８（ｂ）はハブ補正時間算出テーブルを示している。
【００６８】
線路補正時間算出テーブルには、線路遅延補正値ＲＬごとに、スロット同期タイミングを補正すべき線路補正時間ΔＴＬが登録されている。この線路補正時間算出テーブルは、ＬＡＮケーブルの電気的特性や実測から得られた両者の対応関係をテーブル化し、無線電話端末２２の記憶部（図示せず）に格納しておけばよい。
【００６９】
ハブ補正時間算出テーブルには、ハブ遅延補正値ＲＨごとに、スロット同期タイミングを補正すべきハブ補正時間ΔＴＨが登録されている。このハブ補正時間算出テーブルは、ハブ３０の動作特性や実測から予め計算した両者の対応関係をテーブル化し、無線電話端末２２の記憶部（図示せず）に格納しておけばよい。
【００７０】
タイミング特定部２３Ｃは、これら線路補正時間算出テーブルおよび線路補正時間算出テーブルから計算した線路補正時間ΔＴＬおよびハブ補正時間ΔＴＨだけ、スロット同期タイミングを補正することになる。
以上では、電話制御装置１０から無線電話端末２２に対して、実際の補正時間を指数化した線路遅延補正値ＲＬおよびハブ遅延補正値ＲＨを通知する場合を例として説明したが、線路補正時間ΔＴＬおよびハブ補正時間ΔＴＨを合算した補正時間ΔＴを電話制御装置１０から無線電話端末２２に通知してもよい。
【００７１】
また、以上では、テーブルを用いて、線路長Ｌおよびハブ接続段数Ｈから線路補正時間ΔＴＬおよびハブ補正時間ΔＴＨを計算する場合を例として説明したが、関数式を用いて計算してもよい。図９は、端末遅延補正値の計算処理例を示す説明図である。なお、図９は、端末遅延補正値の計算処理の一例であり、これに限定するものではない。
【００７２】
単位線路補正時間ＴＬｓは、単位線路長あたりの補正時間を示すパラメータであり、単位ハブ遅延補正時間ＴＨｓは、単位ハブ段数あたりの補正時間を示すパラメータである。これらはいずれもＬＡＮケーブルの電気的特性、ハブ３０の動作特性、あるいは実測から予め算出しておけばよい。
【００７３】
ここでは、単位線路補正時間ＴＬｓに線路長Ｌを乗算することにより線路補正時間ΔＴＬを計算するとともに、単位ハブ遅延補正時間ＴＨｓにハブ接続段数Ｈを乗算することによりハブ補正時間ΔＴＨを計算し、これら線路補正時間ΔＴＬとハブ補正時間ΔＴＨを合算することにより、無線電話端末２２に関する端末遅延補正値として、無線電話端末２２において補正するスロット同期タイミングに対する補正時間ΔＴが求められる。
基本的には、これら計算処理は同期制御部１６Ｂで行われるが、任意の無線電話端末２２に関する線路長Ｌおよびハブ接続段数Ｈを、同期制御部１６Ｂから無線電話端末２２に通知し、無線電話端末２２のタイミング特定部２３Ｃや親機処理部２３Ｄで計算してもよい。
【００７４】
［スロット同期タイミング補正動作例］
図１０は、第１の実施の形態にかかるスロット同期タイミングの補正動作例を示すタイミングチャートである。ここでは、互いの接続経路が異なる２つの無線電話端末＃１，＃２に対して、タイムスロット＃１，＃２をそれぞれ割り当てたものとし、無線電話端末＃２のスロット同期タイミングを補正する場合を例として説明する。なお、説明を容易とするため、電話制御装置１０から無線電話端末＃１までの同期パルス信号Ｐ＃１の遅延は無視できる程度のものとする。
【００７５】
まず、無線電話端末＃１において、電話制御装置１０から配信された同期パルス信号Ｐ＃１の立下りに基づいて、時刻Ｔ１が各タイムスロットの基準時間位置として特定されたものとする。この際、無線電話端末＃１にタイムスロット＃１が割り当てられているため、先頭スロット＃０からタイムスロット＃１までのタイムスロット数Ｔｎが１となる。したがって、Ｔｎにスロット長ｔｓを乗算して求めた時間だけ時刻Ｔ１から遅延させた時刻Ｔｓ１が、無線電話端末＃１のスロット同期タイミングとなる。
【００７６】
また、無線電話端末＃２において、電話制御装置１０から配信された同期パルス信号Ｐ＃２の立下りに基づいて、時刻Ｔ２が各タイムスロットの基準時間位置として特定されたものとする。この際、無線電話端末＃２にタイムスロット＃２が割り当てられているため、先頭スロット＃０からタイムスロット＃２までのタイムスロット数Ｔｎが２となる。したがって、Ｔｎにスロット長ｔｓを乗算して求めた時間だけ時刻Ｔ２から遅延させた時刻Ｔｓ２が、無線電話端末＃２のスロット同期タイミングとなる。
【００７７】
ここで、電話制御装置１０から無線電話端末＃２までの接続経路が長く、時刻Ｔ１にスロットずれ許容時間ｔｅを加えた時間範囲より、時刻Ｔ２が遅れていた場合、同期結果Ｔ＃２に示すように、無線電話端末＃２のタイムスロット＃２が、無線電話端末＃１のタイムスロット＃３にずれ込み、両タイムスロット間における干渉が発生して、無線通信に支障を来すことになる。スロットずれ許容時間ｔｅは、タイムスロット間における干渉が許容される時間範囲である。
【００７８】
一方、電話制御装置１０から無線電話端末＃２に対して、補正時間ΔＴ２が通知されていた場合、時刻Ｔ２が補正時間ΔＴ２だけ早めの時刻Ｔ２’に補正される。これは、同期パルス信号Ｐ＃２を補正時間ΔＴ２だけ早めの時刻Ｔ２’に補正した時刻、すなわち時刻Ｔ１とほぼ同じ時刻から、Ｔｎにスロット長ｔｓを乗算して求めた時間だけ遅延させた時刻に相当する。
したがって、時刻Ｔ２’により特定される無線電話端末＃２のスロット同期タイミングは、無線電話端末＃１のタイムスロット＃２とほぼ同時となるため、前述したようなタイムスロット間における干渉の発生が回避される。
【００７９】
［第１の実施の形態の効果］
このように本実施の形態は、ハブ３０が、自己に接続されている各接続機器を確認し、得られた経路情報を電話制御装置１０へ通知するとともに、自己に接続されている各接続機器との間の線路長をそれぞれ測定し、得られた線路長情報を電話制御装置１０へ通知し、電話制御装置１０が、各ハブ３０から通知された経路情報および線路長情報に基づいて、無線電話端末２２ごとに、当該無線電話端末２２における同期パルス信号の遅延時間を補正するための端末遅延補正値を計算し、得られた端末遅延補正値を当該無線電話端末２２に対して通知し、無線電話端末２２が、電話制御装置１０から配信された同期パルス信号に基づいてスロット同期タイミングを特定するとともに、電話制御装置１０から通知された端末遅延補正値に基づいて当該スロット同期タイミングを補正するようにしたものである。
【００８０】
これにより、無線電話端末２２ごとに計算した、電話制御装置１０から当該無線電話端末２２までの接続経路、具体的には線路長Ｌとハブ接続段数Ｈに応じた端末遅延補正値に基づいて、それぞれの無線電話端末２２においてスロット同期タイミングが補正される。このため、カスケード接続されるハブの台数や接続経路の線路長により、各無線電話端末２２において同期パルス信号の到達にばらつきが発生しても、スロット同期タイミングを適切に特定することができ、それぞれの無線電話端末２２で用いるタイムスロット間における干渉の発生を回避することが可能となる。
【００８１】
したがって、スロットずれ許容範囲ｔｅに起因して、内線伝送路の線路長やカスケード接続可能なハブ台数に対する制限を設ける必要がなくなり、無線電話端末２２を設置する際、内線伝送路を自由に構成することができる。したがって、オフィス、事務所、店舗のレイアウトが広くあるいは複雑であっても、それぞれのレイアウトに応じた場所に無線電話端末２２を設置することができ、レイアウトに対して極めて柔軟で自由度の高い電話システムを提供することが可能となる。
【００８２】
また、本実施の形態において、電話制御装置１０に、線路長Ｌとこの線路長Ｌによる遅延を補正するための線路遅延補正値ＲＬとの対応関係を示す線路補正値算出テーブルと、ハブ３０のハブ接続段数Ｈとこれらハブ３０による遅延を補正するためのハブ遅延補正値ＲＨとの対応関係を示すハブ遅延補正値算出テーブルとを設け、同期制御部１６Ｂが、端末遅延補正値を通知する際、記憶部１５の線路長情報１５Ａおよび経路情報１５Ｂに基づいて、無線電話端末２２ごとに、当該無線電話端末２２までの線路長Ｌおよびハブ接続段数Ｈを計算し、線路補正値算出テーブルから求めた当該線路長Ｌに対応する線路遅延補正値ＲＬと、ハブ遅延補正値算出テーブルから求めた当該ハブ接続段数Ｈに対応するハブ遅延補正値ＲＨとを含む端末遅延補正値を通知するようにしてもよい。
【００８３】
これにより、同期パルス信号の主な遅延要因となる線路長Ｌとハブ接続段数Ｈに基づいて、線路補正値算出テーブルとハブ遅延補正値算出テーブルを参照することにより、無線電話端末２２の端末遅延補正値を構成する線路遅延補正値ＲＬとハブ遅延補正値ＲＨとが計算される。したがって、テーブルを参照するという極めて簡素な処理により、無線電話端末２２に通知すべき適切な端末遅延補正値を計算することができる。
【００８４】
また、本実施の形態において、線路遅延補正値ＲＬおよびハブ遅延補正値ＲＨが、遅延を補正するための補正時間を指数化した値からなり、無線電話端末２２に、線路遅延補正値ＲＬと実際の線路補正時間ΔＴＬとの対応関係を示す線路補正時間算出テーブルと、ハブ遅延補正値ＲＨと実際のハブ補正時間ΔＴＨとの対応関係を示すハブ補正時間算出テーブルとを設け、タイミング特定部２３Ｃが、スロット同期タイミングを補正する際、線路補正時間算出テーブルから求めた端末遅延補正値に含まれる線路遅延補正値ＲＬに対応する線路補正時間ΔＴＬと、ハブ補正時間算出テーブルから求めたハブ遅延補正値ＲＨに対応するハブ補正時間ΔＴＨとに基づいて、スロット同期タイミングを補正するようにしてもよい。
【００８５】
これにより、補正時間を指数化した線路遅延補正値ＲＬおよびハブ遅延補正値ＲＨに基づいて、線路補正時間算出テーブルとハブ補正時間算出テーブルを参照することにより、実際のスロット同期タイミングを補正する際に必要となる線路補正時間ΔＴＬとハブ補正時間ΔＴＨとが計算される。したがって、テーブルを参照するという極めて簡素な処理により、スロット同期タイミングの補正に用いるべき適切な補正時間ΔＴを計算することができる。
【００８６】
また、本実施の形態では、本発明を電話システム１に適用した場合を例として説明したが、これに限定されるものではない。カスケード接続された複数のハブを介して複数の端末が管理装置に接続されているような通信システムにおいて、管理装置からハブを介して同期パルス信号を各端末に配信し、各端末がこの同期パルス信号に基づいてそれぞれの動作の動作タイミングを同期させる場合にも、同様にして本発明を適用できる。この際、これら通信システム、ハブ、および端末が、図１の電話システム１、ハブ３０、および無線電話端末２２に相当するものとなる。
【００８７】
［第２の実施の形態］
次に、本発明の第２の実施の形態にかかる電話システム１について説明する。
第１の実施の形態では、無線電話端末２２が、電話制御装置１０から配信された同期パルス信号に基づいてそれぞれに割り当てられているタイムスロットに関するスロット同期タイミングを特定し、電話制御装置１０から通知された端末遅延補正値に基づいて当該スロット同期タイミングを補正する場合を例として説明した。本実施の形態では、同期パルス信号により、スロット同期タイミングではなく、各内線電話端末２０で実行する特定の処理動作の動作タイミングを同期させる場合について説明する。
【００８８】
本実施の形態は、ハブ３０が、自己に接続されている各接続機器を確認し、得られた経路情報を電話制御装置１０へ通知するとともに、自己に接続されている各接続機器との間の線路長をそれぞれ測定し、得られた線路長情報を電話制御装置１０へ通知し、電話制御装置１０が、各ハブ３０から通知された経路情報および線路長情報に基づいて、内線電話端末２０ごとに、当該内線電話端末２０における同期パルス信号の遅延時間を補正するための端末遅延補正値を計算し、得られた端末遅延補正値を当該内線電話端末２０に対して通知し、内線電話端末２０が、電話制御装置１０から配信された同期パルス信号に基づいて動作タイミングを特定するとともに、電話制御装置１０から通知された端末遅延補正値に基づいて当該動作タイミングを補正するようにしたものである。
【００８９】
本実施の形態において、電話制御装置１０の同期パルス信号生成部１４で生成される同期パルス信号が、各無線電話端末２２での無線通信に用いる各タイムスロットの基準時間位置を示す信号ではなく、各内線電話端末２０での特定の処理動作に用いる基準時間位置を示す信号からなる点が、第１の実施の形態と異なる。電話制御装置１０におけるその他の構成については、第１の実施の形態と同様である。また、本実施の形態において、ハブ３０の構成についても、第１の実施の形態と同様である。
【００９０】
図１１は、第２の実施の形態にかかる内線電話端末の構成を示すブロック図である。
本実施の形態において、内線電話端末２０には、主な機能部として、ポートＩ／Ｆ部２０Ａ、タイミング特定部２０Ｂ、表示部２０Ｃ、音声処理部２０Ｄ、および端末処理部２０Ｅが設けられている。
【００９１】
ポートＩ／Ｆ部２０Ａは、一般的なＬＡＮ接続用のポート回路からなり、ＬＡＮケーブルＬ３を介して接続されたハブ３０とパケットを送受信することにより、各種制御メッセージをやり取りする機能と、上記パケットの送受信により電話制御装置１０との間で形成した音声パスを介して音声データをやり取りする機能と、ハブ３０からＬＡＮケーブルＬ３内の給電線を介して配信された同期パルス信号を受信し、タイミング特定部２０Ｂへ出力する機能とを有している。
【００９２】
タイミング特定部２０Ｂは、ポートＩ／Ｆ部２０Ａから出力された同期パルス信号に基づいて、内線電話端末２０で実行する処理動作の動作タイミングを特定して、端末処理部２０Ｅに出力する機能と、端末処理部２０Ｅから出力された端末遅延補正値に基づいて、動作タイミングを補正する機能とを有している。
【００９３】
表示部２０Ｃは、ＬＥＤやＬＣＤなどの表示装置からなり、端末処理部２０Ｅからの制御に応じて、着信表示などの各種可視表示処理動作を行う機能を有している。
音声処理部２０Ｄは、マイク、スピーカ、ブザーなどの音声入出力装置からなり、端末処理部２０Ｅからの制御に応じて通話に用いる音声を入出力する機能と、端末処理部２０Ｅからの制御に応じて着信音出力などの各種可聴表示処理動作を行う機能を有している。
【００９４】
端末処理部２０Ｅは、ポートＩ／Ｆ部２０Ａを介して電話制御装置１０と制御メッセージをやり取りすることにより、表示部２０Ｃや音声処理部２０Ｄにおける各種可視・可聴表示制御や電話制御装置１０との音声パスの接続／切断制御を行う機能と、電話制御装置１０との間で形成した音声パスと音声処理部２０Ｄとを接続する機能と、電話制御装置１０から制御メッセージにより通知された端末遅延補正値をタイミング特定部２０Ｂに出力する機能とを有している。
【００９５】
［第２の実施の形態の動作］
次に、図１２を参照して、本実施の形態にかかる電話システム１の動作について説明する。図１２は、第２の実施の形態にかかる動作タイミングの補正動作例を示すタイミングチャートである。ここでは、互いの接続経路が異なる２つの無線電話端末＃１，＃２において着信ＬＥＤＤ＃１，Ｄ＃２関する点滅表示動作の周期を同期させるものとし、無線電話端末＃２の動作タイミングを補正する場合を例として説明する。なお、説明を容易とするため、電話制御装置１０から無線電話端末＃１までの同期パルス信号Ｐ＃１の遅延は無視できる程度のものとする。
【００９６】
まず、無線電話端末＃１において、電話制御装置１０から配信された同期パルス信号Ｐ＃１の立下りに基づいて、時刻Ｔ１が動作タイミングとして特定されたものとする。この際、着信ＬＥＤＤ＃１，Ｄ＃２の点滅時間をｔａとし、消灯時間をｔｂとする。したがって、無線電話端末＃１では、時刻Ｔ１からｔａだけ着信ＬＥＤＤ＃１が点滅表示され、その後ｔｂだけ着信ＬＥＤＤ＃１が消灯され、その後、点滅表示と消灯とが周期的に繰り返されることになる。
【００９７】
また、無線電話端末＃２において、電話制御装置１０から配信された同期パルス信号Ｐ＃２の立下りに基づいて、時刻Ｔ２が動作タイミングとして特定されたものとする。この際、無線電話端末＃２では、時刻Ｔ２からｔａだけ着信ＬＥＤＤ＃２が点滅表示され、その後ｔｂだけ着信ＬＥＤＤ＃２が消灯され、その後、点滅表示と消灯とが周期的に繰り返されることになる。
【００９８】
ここで、電話制御装置１０から無線電話端末＃２までの接続経路が長く、時刻Ｔ１より時刻Ｔ２が遅れていた場合、無線電話端末＃２の着信ＬＥＤＤ＃２が、無線電話端末＃１の着信ＬＥＤＤ＃１より遅れて点滅表示と消灯とが周期的に繰り返されることになる。このため、これら動作タイミングにずれが生じると、利用者に違和感や不快感を与える場合がある。
【００９９】
一方、電話制御装置１０から無線電話端末＃２に対して、補正時間ΔＴ２が通知されていた場合、このΔＴ２から時刻Ｔ１にほぼ等しい時刻Ｔ２’を動作タイミングとして特定し、この時刻Ｔ２’を基準時間位置とした着信ＬＥＤＤ＃２の表示動作が開始されることになる。
したがって、無線電話端末＃２の着信ＬＥＤＤ＃２が、無線電話端末＃１の着信ＬＥＤＤ＃１とほぼ同期して表示動作することになり、動作タイミングのずれによる、利用者に違和感や不快感を回避することができる。
【０１００】
［第２の実施の形態の効果］
このように、本実施の形態は、ハブ３０が、自己に接続されている各接続機器を確認し、得られた経路情報を電話制御装置１０へ通知するとともに、自己に接続されている各接続機器との間の線路長をそれぞれ測定し、得られた線路長情報を電話制御装置１０へ通知し、電話制御装置１０が、各ハブ３０から通知された経路情報および線路長情報に基づいて、内線電話端末２０ごとに、当該内線電話端末２０における同期パルス信号の遅延時間を補正するための端末遅延補正値を計算し、得られた端末遅延補正値を当該内線電話端末２０に対して通知し、内線電話端末２０が、電話制御装置１０から配信された同期パルス信号に基づいて動作タイミングを特定するとともに、電話制御装置１０から通知された端末遅延補正値に基づいて当該動作タイミングを補正するようにしたものである。
【０１０１】
これにより、内線電話端末２０ごとに計算した、電話制御装置１０から当該内線電話端末２０までの接続経路、具体的には線路長Ｌとハブ接続段数Ｈに応じた端末遅延補正値に基づいて、それぞれの内線電話端末２０において動作タイミングが補正される。このため、カスケード接続されるハブの台数や接続経路の線路長により、各無線電話端末２２において同期パルス信号の到達にばらつきが発生しても、それぞれの無線電話端末２２間における処理動作のずれ発生を回避することができる。
【０１０２】
したがって、処理動作のずれを抑制するため、内線伝送路の線路長やカスケード接続可能なハブ台数に対する制限を設ける必要がなくなり、内線電話端末２０を設置する際、内線伝送路を自由に構成することができる。したがって、オフィス、事務所、店舗のレイアウトが広くあるいは複雑であっても、それぞれのレイアウトに応じた場所に内線電話端末２０を設置することができ、レイアウトに対して極めて柔軟で自由度の高い電話システムを提供することが可能となる。
【０１０３】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【０１０４】
１…電話システム、１０…電話制御装置、１１…網Ｉ／Ｆ部、１２…ポートＩ／Ｆ部、１３…スイッチ部、１４…同期パルス信号生成部、１５…記憶部、１６…制御部、２０…内線電話端末、２０Ａ…ポートＩ／Ｆ部、２０Ｂ…タイミング特定部、２０Ｃ…表示部、２０Ｄ…音声処理部、２０Ｅ…端末処理部、２１…有線電話端末、２２…無線電話端末、２３…無線親機、２３Ａ…ポートＩ／Ｆ部、２３Ｂ…無線Ｉ／Ｆ部、２３Ｃ…タイミング特定部、２３Ｄ…親機処理部、２４…無線子機、３０…ハブ、３１…アップリンクポートＩ／Ｆ部、３２…ダウンリンクポートＩ／Ｆ部、３３…同期パルス信号再生部、３４…転送処理部、３５…経路確認部、３６…線路長測定部、ＮＷ…電話網、Ｌ１…通信回線、Ｌ２，Ｌ３…ＬＡＮケーブル。
【図１】
0006561558.tif 000002
【図２】
0006561558.tif 000003
【図３】
0006561558.tif 000004
【図４】
0006561558.tif 000005
【図５】
0006561558.tif 000006
【図６】
0006561558.tif 000007
【図７】
0006561558.tif 000008
【図８】
0006561558.tif 000009
【図９】
0006561558.tif 000010
【図１０】
0006561558.tif 000011
【図１１】
0006561558.tif 000012
【図１２】
0006561558.tif 000013